(57)【要約】【課題】住宅情報盤で情報を閲覧している状態でもカメラ付集合玄関機などからの呼出を受信することができ、終話後、手動または自動で元の情報を閲覧している状態に戻す。【解決部】カメラ付集合玄関機２と、通話部、予約機能、情報取得機能を実現するための操作部、訪問者の映像を表示するとともに取得した情報を表示するための表示部を有する住宅情報盤１ａ、１ｂと、住宅情報盤と通信され各種情報を保存する情報サーバ３と、住宅情報盤、カメラ付集合玄関機、情報サーバをそれぞれ制御する制御装置４とを備え、制御装置は、居住者が操作部を使用して予約機能または情報取得機能を実行し、制御装置を介して情報サーバと通信している状態でカメラ付集合玄関機から住宅情報盤に対しての呼出しを検知すると、住宅情報盤と情報サーバとの通信を停止させるとともにカメラ付集合玄関機からの呼出信号を住宅情報盤へ送信するＣＰＵを備えている。【選択図】　図１
2004120520.tif 000002
【特許請求の範囲】
【請求項１】
訪問者が居住者を呼び出し、通話を行なうためのカメラ付集合玄関機（２）と、
前記訪問者と通話するための通話部（１６）、館内の施設利用を行なうための予約機能、館内の施設情報や館外の地域情報を取得するための情報取得機能を実現するための操作部（１２）、前記訪問者の映像を表示するとともに取得した情報を表示するための表示部（１３）を有する住宅情報盤（１ａ、１ｂ）と、
前記住宅情報盤と通信され館内の施設情報、館外の地域情報等の各種情報を保存する情報サーバ（３）と、
前記住宅情報盤、前記カメラ付集合玄関機、前記情報サーバをそれぞれ制御する制御装置（４）とを備え、
前記制御装置は、前記居住者が前記操作部を使用して前記予約機能または前記情報取得機能を実行し、前記制御装置を介して前記情報サーバと通信している状態で前記カメラ付集合玄関機から前記住宅情報盤に対しての呼出しを検知すると、前記住宅情報盤と前記情報サーバとの通信を停止させるとともに前記カメラ付集合玄関機からの呼出信号を前記住宅情報盤へ送信するＣＰＵ（４１）を備えたことを特徴とする集合住宅インターホンシステム。
【請求項２】
訪問者と通話するための通話部（１６）、館内の施設利用を行なうための予約機能、館内の施設情報や館外の地域情報を取得するための情報取得機能を実現するための操作部（１２）、前記訪問者の映像を表示するとともに取得した情報を表示するための表示部（１３）、セキュリティセンサ（８）からの異常を検出しセキュリティ情報を表示するセキュリティ機能を有する住宅情報盤（１ａ、１ｂ）と、
前記住宅情報盤と通信され館内の施設情報、館外の地域情報等の各種情報を保存する情報サーバ（３）と、
居住者を呼び出し、通話を行なうためのカメラ付集合玄関機（２）と、
前記住宅情報盤、前記カメラ付集合玄関機、前記情報サーバをそれぞれ制御する制御装置（４）とを備え、
前記制御装置は、前記居住者が前記操作部を使用して前記予約機能または前記情報取得機能を実行し、前記制御装置を介して前記情報サーバと通信している状態で前記住宅情報盤でセキュリティ機能が能動となりセキュリティ信号を受信すると、前記住宅情報盤と前記情報サーバとの通信を停止させるとともに前記住宅情報盤にセキュリティ情報を表示するＣＰＵ（４１）を備えたことを特徴とする集合住宅インターホンシステム。
【請求項３】
前記住宅情報盤に前記情報サーバと通信している通信状態を保持するための記憶部（１４）を有することを特徴とする請求項１又は請求項２記載の集合住宅インターホンシステム。
【請求項４】
前記住宅情報盤は、前記カメラ付集合玄関機からの呼出に対して応答し、終話したとき前記居住者が前記操作部を使用して前記予約機能または前記情報取得機能を実行すると、前記記憶部から通信状態を取得して前記カメラ付集合玄関機からの呼出の前の情報サーバと通信している通信状態に戻すＣＰＵ（１１）を備えたことを特徴とする請求項３記載の集合住宅インターホンシステム。
【請求項５】
前記住宅情報盤は、表示されているセキュリティ情報の表示を終了したとき前記居住者が前記操作部を使用して前記予約機能または前記情報取得機能を実行すると、前記記憶部から通信状態を取得して前記住宅情報盤でセキュリティ機能が能動となりセキュリティ信号を受信する前の情報サーバとの通信している通信状態に戻すＣＰＵ（１１）を備えたことを特徴とする請求項３記載の集合住宅インターホンシステム。
【請求項６】
前記住宅情報盤は、前記カメラ付集合玄関機からの呼出に対して応答し、終話したとき前記記憶部から通信状態を取得して前記カメラ付集合玄関機からの呼出の前の情報サーバと通信している通信状態に戻すＣＰＵ（１１）を備えたことを特徴とする請求項３記載の集合住宅インターホンシステム。
【請求項７】
前記住宅情報盤は、表示されているセキュリティ情報の表示を終了したとき前記記憶部から通信状態を取得して前記住宅情報盤でセキュリティ機能が能動となりセキュリティ信号を受信する前の情報サーバとの通信している通信状態に戻すＣＰＵ（１１）を備えたことを特徴とする請求項３記載の集合住宅インターホンシステム。
【発明の詳細な説明】
【０００１】
【発明の属する技術分野】
本発明は、集合住宅インターホンシステムに係わり、特に、住宅情報盤で情報を閲覧している状態でもカメラ付集合玄関機などからの呼出を受信することができ、終話後、手動または自動で元の情報を閲覧している状態に戻すことができる集合住宅インターホンシステムに関する。
【０００２】
【従来の技術】
従来から、この種の集合住宅インターホンシステムとして、訪問者が居住者を呼び出し、通話を行なうためのカメラ付集合玄関機と、訪問者と通話するための通話部、館内の施設利用を行なうための予約機能、館内の施設情報や館外の地域情報を取得するための情報取得機能を実現するための操作部、訪問者の映像を表示するとともに取得した情報を表示するための表示部を有する住宅情報盤と、住宅情報盤と通信され館内の施設情報、館外の地域情報等の各種情報を保存する情報サーバと、住宅情報盤、カメラ付集合玄関機及び情報サーバをそれぞれ制御する制御装置とを備えてなるものが知られている（例えば、特許文献１参照）。
【特許文献１】特開２００１−２１１２６１号公報（段落番号「０００５」〜「００７２」、図１）
【０００３】
【発明が解決しようとする課題】
この集合住宅インターホンシステムにおいては、使用者が住宅情報盤の操作部を使用して、情報サーバから館内の施設情報や館外の地域情報などの情報を取得し、かかる情報を住宅情報盤の表示部に表示させることができる。
【０００４】
しかしながら、このような構成の集合住宅インターホンシステムにおいては、住宅情報盤の表示部に所望の情報を表示している状態で、カメラ付集合玄関機から住宅情報盤に対して呼出がなされてもかかる呼出が拒否され、ひいては、カメラ付集合玄関機からの呼出が居住者に察知されず、大事な用事で訪ねてきた訪問者を長時間待たせたりするおそれがあった。また、セキュリティセンサが異常を検出しても、セキュリティ信号の受信が許否され、ひいては、居住者にとって重要な情報であるセキュリティ情報を受信することができないという難点があった。さらに、集合住宅内で共同で使用するカメラ付集合玄関機を一人の訪問者に長時間占有されてしまうという難点もあった。
【０００５】
本発明は、このような難点を解決するためになされたもので、住宅情報盤の表示部に所望の情報を表示している状態でも、カメラ付集合玄関機からの呼出やセキュリティ情報などを受信することができる集合住宅インターホンシステムを提供することを目的としている。
【０００６】
【課題を解決するための手段】
上記の目的を達成するために、本発明の集合住宅インターホンシステムは、訪問者が居住者を呼び出し、通話を行なうためのカメラ付集合玄関機と、訪問者と通話するための通話部、館内の施設利用を行なうための予約機能、館内の施設情報や館外の地域情報を取得するための情報取得機能を実現するための操作部、訪問者の映像を表示するとともに取得した情報を表示するための表示部を有する住宅情報盤と、住宅情報盤と通信され館内の施設情報、館外の地域情報等の各種情報を保存する情報サーバと、住宅情報盤、カメラ付集合玄関機、情報サーバをそれぞれ制御する制御装置とを備え、制御装置は、居住者が操作部を使用して予約機能または情報取得機能を実行し、制御装置を介して情報サーバと通信している状態でカメラ付集合玄関機から住宅情報盤に対しての呼出しを検知すると、住宅情報盤と情報サーバとの通信を停止させるとともにカメラ付集合玄関機からの呼出信号を住宅情報盤へ送信するＣＰＵを備えている。
【０００７】
また、本発明の集合住宅インターホンシステムは、訪問者と通話するための通話部、館内の施設利用を行なうための予約機能、館内の施設情報や館外の地域情報を取得するための情報取得機能を実現するための操作部、訪問者の映像を表示するとともに取得した情報を表示するための表示部、セキュリティセンサからの異常を検出しセキュリティ情報を表示するセキュリティ機能を有する住宅情報盤と、住宅情報盤と通信され館内の施設情報、館外の地域情報等の各種情報を保存する情報サーバと、居住者を呼び出し、通話を行なうためのカメラ付集合玄関機と、住宅情報盤、カメラ付集合玄関機、情報サーバをそれぞれ制御する制御装置とを備え、制御装置は、居住者が操作部を使用して予約機能または情報取得機能を実行し、制御装置を介して情報サーバと通信している状態で住宅情報盤でセキュリティ機能が能動となりセキュリティ信号を受信すると、住宅情報盤と情報サーバとの通信を停止させるとともに住宅情報盤にセキュリティ情報を表示するＣＰＵを備えている。
【０００８】
また、本発明の集合住宅インターホンシステムにおける住宅情報盤は、情報サーバと通信している通信状態を保持するための記憶部を備えている。
【０００９】
また、本発明の集合住宅インターホンシステムにおける住宅情報盤は、カメラ付集合玄関機からの呼出に対して応答し、終話したとき居住者が操作部を使用して予約機能または情報取得機能を実行すると、記憶部から通信状態を取得してカメラ付集合玄関機からの呼出の前の情報サーバと通信している通信状態に戻すＣＰＵを備えている。
【００１０】
また、本発明の集合住宅インターホンシステムにおける住宅情報盤は、表示されているセキュリティ情報の表示を終了したとき居住者が操作部を使用して予約機能または情報取得機能を実行すると、記憶部から通信状態を取得して住宅情報盤でセキュリティ機能が能動となりセキュリティ信号を受信する前の情報サーバとの通信している通信状態に戻すＣＰＵを備えている。
【００１１】
また、本発明の集合住宅インターホンシステムにおける住宅情報盤は、カメラ付集合玄関機からの呼出に対して応答し、終話したとき記憶部から通信状態を取得してカメラ付集合玄関機からの呼出の前の情報サーバと通信している通信状態に戻すＣＰＵを備えている。
【００１２】
また、本発明の集合住宅インターホンシステムにおける住宅情報盤は、表示されているセキュリティ情報の表示を終了したとき記憶部から通信状態を取得して住宅情報盤でセキュリティ機能が能動となりセキュリティ信号を受信する前の情報サーバとの通信している通信状態に戻すＣＰＵを備えている。
【００１３】
本発明の集合住宅インターホンシステムによれば、住宅情報盤の表示部に予約や住宅内情報などの情報を表示している状態でも、カメラ付集合玄関機からの呼出やセキュリティ情報を受信することができ、また、手動操作により若しくは自動的に、住宅情報盤の表示部に呼出やセキュリティ情報の表示のため途中で終了した所望の情報を初期状態からではなく終了直前の状態から表示させることができる。
【００１４】
【発明の実態の形態】
以下、本発明の集合住宅インターホンシステムの好ましい実施の形態例について、図面を参照して詳述する。ここで、図１は、本発明の集合住宅インターホンシステムのシステム構成図、図２は、本発明の集合住宅インターホンシステムにおける住宅情報盤のブロック図、図３は、本発明の集合住宅インターホンシステムにおける制御装置のブロック図を示している。
【００１５】
図１において、本発明の集合住宅インターホンシステムは、各住戸内に設置され、居住者が操作を行うための第１、第２の住宅情報盤１ａ、１ｂと、集合住宅の共同玄関に設けられ、訪問者が居住者を呼び出し、通話を行なうためのカメラ付集合玄関機２と、集合住宅内に設置され、住宅情報盤１ａ、１ｂと通信され館内の施設情報、館外の地域情報等の各種情報を保存する情報サーバ３と、住宅情報盤１ａ、１ｂ、カメラ付集合玄関機２及び情報サーバ３をそれぞれ制御する制御装置４と、情報サーバ３と制御装置４をつなぐローカルネットワーク５と、セキュリティ異常を検出するセキュリティセンサ８とを備えている。ここで、制御装置４は、第１の伝送路Ｌ１を介して第１、第２の住宅情報盤１ａ、１ｂに、第２の伝送路Ｌ２を介してカメラ付集合玄関機２に、第３の伝送路Ｌ３を介してローカルネットワーク５に接続され、ローカルネットワーク５には第４の伝送路Ｌ４を介して情報サーバ３が接続され、第１、第２の住宅情報盤１ａ、１ｂには、それぞれセキュリティセンサ８が接続されている。
【００１６】
第１、第２の住宅情報盤１ａ、１ｂは、図２に示すように、それぞれ同様の構成とされ、予約や情報取得するための操作部１２と、情報を表示する表示部１３と、情報サーバとの通信状態を保存する記憶部１４と、各部を制御するＣＰＵ１１（以下「住宅情報盤ＣＰＵ１１」という。）と、住宅情報盤通信インターフエース１５（以下「住宅情報盤通信ＩＦ１５」という。）と、訪問者と通話するための通話部１６とを備えている。ここで、住宅情報盤ＣＰＵ１１は、操作部１２、表示部１３、記憶部１４、住宅情報盤通信ＩＦ１５、通話部１６及びセキュリティセンサ８に接続され、住宅情報盤通信ＩＦ１５には第１の伝送路Ｌ１が接続されている。
【００１７】
制御装置は、図３に示すように、通話や通信制御を行うＣＰＵ４１（以下「制御装置ＣＰＵ４１」という。）と、第１、第２、第３の通信インターフエース４２ａ、４２ｂ、４２ｃ（「第１、第２、第３の制御装置通信ＩＦ４２ａ、４２ｂ、４２ｃ」という。）とを備えており、制御装置ＣＰＵ４１は、第１、第２、第３の制御装置通信ＩＦ４２ａ、４２ｂ、４２ｃに接続され、第１の制御装置通信ＩＦ４２ａには、第１の伝送路Ｌ１が、第２の制御装置通信ＩＦ４２ｂには第２の伝送路Ｌ２が、第３の制御装置通信ＩＦ４２ｃには第３の伝送路Ｌ３がそれぞれ接続されている。
【００１８】
次に、このように構成された本発明の第１の実施例に係る集合住宅インターホンシステムの動作について説明する。
【００１９】
先ず、ある住宅情報盤１ａ、１ｂ、例えば、住宅情報盤１ａ（以下「第１の住宅情報盤１ａ」という。）の操作部１２（以下「第１の操作部１２」という。）により予約や情報取得の操作を行うと、第１の住宅情報盤１ａに係る住宅情報盤ＣＰＵ１１（以下「第１の住宅情報盤ＣＰＵ１１」という。）からアドレスを含有する情報取得信号が出力され、この情報取得信号が第１の住宅情報盤１ａに係る住宅情報盤通信ＩＦ１５（以下「第１の住宅情報盤通信ＩＦ１５」という。）、第１の伝送路Ｌ１及び第１の制御装置通信ＩＦ４２ａを介して制御装置ＣＰＵ４１へ送出される。そして、かかる情報取得信号が制御装置ＣＰＵ４１で検出されると、当該制御装置ＣＰＵ４１から情報要求応答信号及び情報サーバ接続信号が出力され、前者の情報要求応答信号が前述の情報取得信号と逆の経路を経由して第１の住宅情報盤１ａへ送出され、後者の情報サーバ接続信号が第３の制御装置通信ＩＦ４２ｃ、第３の伝送路Ｌ３、ローカルネットワーク５及び第４の伝送路Ｌ４を介して情報サーバ３へ送出される。これにより、第１の制御装置通信ＩＦ４２ａと第３の制御装置通信ＩＦ４２ｃとが通信可能にされるとともに、情報サーバ３から所望の情報が取得され、当該情報が前述の情報サーバ接続信号及び情報取得信号と逆の経路を経由して第１の住宅情報盤ＣＰＵ１１へ送出される。そして、かかる情報が第１の住宅情報盤ＣＰＵ１１で検出されると、当該第１の住宅情報盤ＣＰＵ１１の制御により、第１の住宅情報盤１ａに係る表示部１３（以下「第１の表示部１３」という。）に所望の情報が表示される。
【００２０】
このように、居住者が第１の操作部１２を使用し制御装置４を介して情報サーバ３と通信している状態において、カメラ付集合玄関機２から第１の住宅情報盤１ａに対して呼出をかけると、呼出信号が第２の伝送路Ｌ２及び第２の制御装置通信ＩＦ４２ｂを介して制御装置ＣＰＵ４１へ送出される。そして、かかる呼出信号が制御装置ＣＰＵ４１で検出されると、当該制御装置ＣＰＵ４１の制御により、第３の制御装置通信ＩＦ４２ｃ及び第１の制御装置通信ＩＦ４２ａが通信不可能にされる。また、これとともに、カメラ付集合玄関機２からの呼出信号が、第１の制御装置通信ＩＦ４２ａ、第１の伝送路Ｌ１及び第１の住宅情報盤通信ＩＦ１５を介して第１の住宅情報盤ＣＰＵ１１へ送出される。そして、かかる呼出信号が第１の住宅情報盤ＣＰＵ１１で検出されると、第１の住宅情報盤ＣＰＵ１１の制御により、第１の表示部１３で所望の情報を閲覧している状態が終了され、第１の住宅情報盤１ａが呼出状態にされる。また、これと同時に、第１の住宅情報盤ＣＰＵ１１から呼出応答信号が出力され、この呼出応答信号が前述の呼出信号と逆の経路を経由してカメラ付集合玄関機２へ送出される。
【００２１】
以上の動作により、居住者が第１の表示部１３で所望の情報を閲覧している状態でも、カメラ付集合玄関機２からの呼出を受信することができる。
【００２２】
次に、本発明の第２の実施例に係る集合住宅インターホンシステムの動作について説明する。
【００２３】
先ず、第１の住宅情報盤１ａで、第１の操作部１２により情報取得の操作を行うと、情報サーバ３より所望の情報を取得し、第１の表示部１３に所望の情報を表示するまでは、第１の実施例と同様に動作する。
【００２４】
このように、居住者が第１の操作部１２を使用し制御装置４を介して情報サーバ３と通信している状態において、第１の住宅情報盤１ａのセキュリティセンサ８（以下「第１のセキュリティセンサ８」という。）が異常を検出すると、第１の住宅情報盤ＣＰＵ１１の制御により、第１の表示部１３で所望の情報を閲覧している状態が終了され、第１の住宅情報盤１ａのセキュリティ機能が能動となる。また、これと同時に、第１の住宅情報盤ＣＰＵ１１からセキュリティ信号が出力され、このセキュリティ信号が前述の情報取得信号と同様の経路を経由して制御装置ＣＰＵ４１へ送出される。そして、かかるセキュリティ信号が制御装置ＣＰＵ４１で検出されると、制御装置ＣＰＵ４１の制御により第３の制御装置通信ＩＦ４２ｃ及び第１の制御装置通信ＩＦ４２ａが通信不可能にされる。
【００２５】
以上の動作により、居住者が第１の表示部１３で所望の情報を閲覧している状態でも、居住者にとって重要な情報であるセキュリティ情報を受信することができる。
【００２６】
次に、本発明の第３の実施例に係る集合住宅インターホンシステムの動作について説明する。
【００２７】
先ず、第１の住宅情報盤１ａで、第１の操作部１２により情報取得の操作を行うと、情報サーバ３より所望の情報を取得し、第１の表示部１３に所望の情報を表示するまでは、第１の実施例と同様に動作する。
【００２８】
このように、居住者が第１の操作部１２を使用し制御装置４を介して情報サーバ３と通信している状態において、第１の住宅情報盤１ａと情報サーバ３間の通信状態に変化があると、当該変化毎に、第１の住宅情報盤１ａと情報サーバ３間の通信状態が第１の住宅情報盤１ａに係る記憶部１４（以下「第１の記憶部１４」という。）に保持される。
【００２９】
以上の動作により、第１の住宅情報盤１ａは、何時でも情報サーバ３との通信状態を保持した状態に戻すことが可能となる。
【００３０】
次に、本発明の第４の実施例に係る集合住宅インターホンシステムの動作について説明する。
【００３１】
先ず、第１の住宅情報盤１ａで、第１の操作部１２により情報取得の操作を行うと、情報サーバ３より所望の情報を取得し、第１の表示部１３に所望の情報を表示し、当該情報の表示中にカメラ付集合玄関機２より呼出をうけ、第１の住宅情報盤１ａが呼出状態となり、第１の住宅情報盤１ａが情報サーバ３と通信している状態に変化があると、当該変化毎に、第１の記憶部１４に当該変化直前の状態が保持されるまでは、第１、第３の実施例と同様に動作する。
【００３２】
このような状態において、第１の住宅情報盤１ａにおいてカメラ付集合玄関機２からの呼出に対して応答し、終話して、再度第１の操作部１２により情報取得の操作を行うと、第１の住宅情報盤ＣＰＵ１１の制御により、第１の記憶部１４から前述の変化直前の通信状態、すなわち、カメラ付集合玄関機２からの呼出信号を受信する直前の情報サーバ３との通信状態が取得される。
【００３３】
以上の動作により、居住者はカメラ付集合玄関機２から呼出を受けたにも関わらず、前述の呼出直前の通信状態に戻して所望の情報を取得することができる。
【００３４】
次に、本発明の第５の実施例に係る集合住宅インターホンシステムの動作について説明する。
【００３５】
先ず、第１の住宅情報盤１ａで、第１の操作部１２により情報取得の操作を行うと、情報サーバ３より所望の情報を取得し、第１の表示部１３に所望の情報を表示し、当該情報の表示中に第１のセキュリティセンサ８が異常を検出し、セキュリティ機能が能動となり、第１の住宅情報盤１ａが情報サーバ３と通信している状態に変化があると、当該変化毎に、第１の記憶部１４に当該変化直前の状態が保持されるまでは、第２、第３の実施例と同様に動作する。
【００３６】
このような状態において、第１のセキュリティセンサ８が正常な状態に戻ると、セキュリティ復帰信号が第１の住宅情報盤ＣＰＵ１１へ送出され、かかるセキュリティ復帰信号が第１の住宅情報盤ＣＰＵ１１で検出されると、第１の住宅情報盤ＣＰＵ１１の制御により、第１の住宅情報盤１ａがセキュリティ異常から復帰状態となる。その後、再度第１の操作部１２により情報取得の操作を行うと、第１の住宅情報盤ＣＰＵ１１の制御により、第１の記憶部１４から前述の変化直前の通信状態、すなわち、第１のセキュリティセンサ８から異常信号を受信する直前の情報サーバ３との通信状態が取得される。
【００３７】
以上の動作により、一度セキュリティ異常状態となったにも関わらず、前述のセキュリティ信号の受信直前の通信状態に戻して所望の情報を取得することができる。
【００３８】
次に、本発明の第６の実施例に係る集合住宅インターホンシステムの動作について説明する。
【００３９】
先ず、第１の住宅情報盤１ａで、第１の操作部１２により情報取得の操作を行うと、情報サーバ３より所望の情報を取得し、第１の表示部１３に所望の情報を表示し、当該情報の表示中にカメラ付集合玄関機２より呼出をうけ、第１の住宅情報盤１ａが呼出状態となり、第１の住宅情報盤１ａが情報サーバ３と通信している状態に変化があると、当該変化毎に、第１の記憶部１４に当該変化直前の状態が保持されるまでは、第１、第３の実施例と同様に動作する。
【００４０】
このような状態において、第１の住宅情報盤１ａにおいてカメラ付集合玄関機２からの呼出に対して応答し、終話すると、第１の住宅情報盤ＣＰＵ１１の制御により、第１の記憶部１４から自動的に前述の変化直前の通信状態、すなわち、カメラ付集合玄関機２からの呼出信号を受信する直前の情報サーバ３との通信状態が取得される。
【００４１】
以上の動作により、居住者は呼出を受けたにも関わらず、第１の操作部１２で操作しなくとも、自動的に、前述の呼出信号を受信する直前の通信状態に戻して所望の情報を取得することができる。
【００４２】
次に、本発明の第７の実施例に係る集合住宅インターホンシステムの動作について説明する。
【００４３】
先ず、第１の住宅情報盤１ａで、第１の操作部１２により情報取得の操作を行うと、情報サーバ３より所望の情報を取得し、第１の表示部１３に所望の情報を表示し、当該情報の表示中に第１のセキュリティセンサ８が異常を検出し、セキュリティ機能が能動となり、第１の住宅情報盤１ａが情報サーバ３と通信している状態に変化があると、当該変化毎に、第１の記憶部１４に当該変化直前の状態が保持されるまでは、第２、第３の実施例と同様に動作する。
【００４４】
このような状態において、第１のセキュリティセンサ８が正常な状態に戻ると、セキュリティ復帰信号が第１の住宅情報盤ＣＰＵ１１へ送出され、かかるセキュリティ復帰信号が第１の住宅情報盤ＣＰＵ１１で検出されると、第１の住宅情報盤ＣＰＵ１１の制御により、第１の住宅情報盤１ａがセキュリティ異常から復帰状態になるとともに第１の記憶部１４から自動的に前述の変化直前の通信状態、すなわち、第１のセキュリティセンサ８から異常信号を受信する直前の情報サーバ３との通信状態が取得される。
【００４５】
以上の動作により、一度セキュリティ異常状態となったにも関わらず、第１の操作部１２で操作しなくとも、自動的に、前述のセキュリティ信号の受信直前の通信状態に戻して所望の情報を取得することができる。
【００４６】
なお、前述の実施例においては、２台の住宅情報盤を設置した場合について説明しているが、システムの規模に応じて３台以上設置してもよい。
【００４７】
【発明の効果】
以上の説明から明らかなように、本発明の集合住宅インターホンシステムによれば、住宅情報盤の表示部に予約や住宅内情報などの情報を表示している状態でも、カメラ付集合玄関機からの呼出やセキュリティ情報を受信することができ、また、手動操作により若しくは自動的に、住宅情報盤の表示部に呼出やセキュリティ情報の表示のため途中で終了した所望の情報を初期状態からではなく終了直前の状態から表示させることができる。
【図面の簡単な説明】
【図１】本発明の集合住宅インターホンシステムのシステム構成図。
【図２】本発明の集合住宅インターホンシステムにおける住宅情報盤のブロック図。
【図３】本発明の集合住宅インターホンシステムにおける制御装置のブロック図。
【符号の説明】
１ａ、１ｂ…住宅情報盤
１１…ＣＰＵ（住宅情報盤ＣＰＵ）
１２…操作部
１３…表示部
１４…記憶部
１６…通話部
２…カメラ付集合玄関機
３…情報サーバ
４…制御装置
４１…ＣＰＵ（制御装置ＣＰＵ）
８…セキュリティセンサ
【図１】
2004120520.tif 000003
【図２】
2004120520.tif 000004
【図３】
2004120520.tif 000005